(57)【要約】【課題】長手方向に隣り合う床材同士の隙間を目立ち難くし得、かつ搬送時等における破損等を抑制し得る床材を提供する。【解決手段】一方向に長尺状とされ、隣り合う床材に接合される床材１であって、長手方向両端側の表面側に全幅に亘って切欠状の凹段部１３，１３が形成されるように長手方向中央側部位に突段部状の表層部１５を有した床本体１０と、厚さ寸法が前記表層部の床材厚さ方向に沿う寸法と同寸法とされ、かつ、長手方向に隣り合う床材１，１の床本体同士が接合された状態で、これら床本体の表層部同士の間を覆うように配される表層材２０と、を備えている。【選択図】図１
2017125301.tif 000002
【特許請求の範囲】
【請求項１】
一方向に長尺状とされ、隣り合う床材に接合される床材であって、
長手方向両端側の表面側に全幅に亘って切欠状の凹段部が形成されるように長手方向中央側部位に突段部状の表層部を有した床本体と、
厚さ寸法が前記表層部の床材厚さ方向に沿う寸法と同寸法とされ、かつ、長手方向に隣り合う床材の床本体同士が接合された状態で、これら床本体の表層部同士の間を覆うように配される表層材と、を備えていることを特徴とする床材。
【請求項２】
請求項１において、
前記床本体は、前記表層部を一体的に設けた構成とされていることを特徴とする床材。
【請求項３】
請求項１または２において、
前記表層材は、床材長手方向に長尺状とされ、かつ、裏面側に、長手方向に間隔を空けて複数本の幅方向に延びる溝を全幅に亘って設けた構成とされていることを特徴とする床材。
【請求項４】
請求項１乃至３のいずれか１項において、
前記床本体の長手方向両端側の前記凹段部の隅部及び前記表層材の床材長手方向に沿う方向の両端部のうちの一方には、他方に設けられた凸部が嵌め込まれる凹部が設けられていることを特徴とする床材。
【発明の詳細な説明】
【技術分野】
【０００１】
本発明は、床材に関する。
【背景技術】
【０００２】
従来より、隣り合う床材に接合される床材が知られている。このような床材は、接合部における隙間が目立ち易くなり、また、収縮によって更に隙間（目隙）が目立ち易くなるという問題があった。
例えば、下記特許文献１には、石膏ボードの上面に、幅方向及び長手方向にずらして中密度木質繊維板（ＭＤＦ）を固着一体化した構成とされた床材が開示されている。
【先行技術文献】
【特許文献】
【０００３】
【特許文献１】特開２００８−２３８４２１号公報
【発明の概要】
【発明が解決しようとする課題】
【０００４】
しかしながら、上記特許文献１に記載された発明では、裏打ち側となる石膏ボードに比して薄い表層側のＭＤＦが石膏ボードの幅方向一端面及び長手方向一端面から幅方向及び長手方向にそれぞれ大きく突出した状態となる。そのため、搬送時等に、表層側のＭＤＦの突出した部分が破損したり、突出した部分が引っ掛かったりすることでＭＤＦが石膏ボードから剥がれ易くなったりすることが考えられ、更なる改善が望まれる。
【０００５】
本発明は、上記実情に鑑みてなされたものであり、長手方向に隣り合う床材同士の隙間を目立ち難くし得、かつ搬送時等における破損等を抑制し得る床材を提供することを目的としている。
【課題を解決するための手段】
【０００６】
上記目的を達成するために、本発明に係る床材は、一方向に長尺状とされ、隣り合う床材に接合される床材であって、長手方向両端側の表面側に全幅に亘って切欠状の凹段部が形成されるように長手方向中央側部位に突段部状の表層部を有した床本体と、厚さ寸法が前記表層部の床材厚さ方向に沿う寸法と同寸法とされ、かつ、長手方向に隣り合う床材の床本体同士が接合された状態で、これら床本体の表層部同士の間を覆うように配される表層材と、を備えていることを特徴とする。
【発明の効果】
【０００７】
本発明に係る床材は、上述のような構成としたことで、長手方向に隣り合う床材同士の隙間を目立ち難くすることができ、かつ搬送時等における破損等を抑制することができる。
【図面の簡単な説明】
【０００８】
【図１】（ａ）〜（ｃ）は、本発明の一実施形態に係る床材の一例を模式的に示す概略平面図である。
【図２】（ａ）は、図１（ａ）におけるＸ１−Ｘ１線矢視に対応させた一部破断概略縦断面図、（ｂ）は、図１（ｂ）におけるＸ２−Ｘ２線矢視に対応させた一部破断概略縦断面図、（ｃ）は、図１（ｃ）におけるＸ３−Ｘ３線矢視に対応させた一部破断概略縦断面図である。
【発明を実施するための形態】
【０００９】
以下に本発明の実施の形態について、図面に基づいて説明する。
なお、一部の図では、他図に付している詳細な符号の一部を省略している。
図１及び図２は、本実施形態に係る床材の一例を模式的に示す図である。
【００１０】
本実施形態に係る床材１は、図１及び図２に示すように、一方向に長尺状とされ、隣り合う床材１に接合される構成とされている。この床材１は、床下地２上に長手方向及び幅方向に複数枚が並べられて床面を構成する。
また、床材１は、長手方向両端側の表面側に全幅に亘って切欠状の凹段部１３，１３が形成されるように長手方向中央側部位に突段部状の表層部１５を有した床本体１０を備えている。また、床材１は、厚さ寸法が表層部１５の床材厚さ方向に沿う寸法と同寸法とされ、かつ、長手方向に隣り合う床材１，１の床本体１０，１０同士が接合された状態で、これら床本体１０，１０の表層部１５，１５同士の間を覆うように配される表層材２０を備えている。
【００１１】
床本体１０は、図１（ａ）に示すように、一方向に長尺な略矩形平板状とされている。
この床本体１０の長さ寸法や幅寸法、厚さ寸法等は、一般的な床材の各寸法と概ね同寸法としてもよい。例えば、床本体１０を、長さ寸法が１５００ｍｍ〜２０００ｍｍ程度、幅寸法が２５０ｍｍ〜５００ｍｍ程度とされた長尺板状体としてもよい。また、例えば、床本体１０を、長さ寸法が６００ｍｍ〜１２００ｍｍ程度、幅寸法が１００ｍｍ〜２００ｍｍ程度とされたものとしてもよい。
また、床本体１０は、厚さ寸法（表層部１５が設けられた部位の厚さ寸法）が５ｍｍ〜３０ｍｍ程度とされたものとしてもよく、１０ｍｍ〜２０ｍｍ程度とされたものとしてもよい。
【００１２】
また、本実施形態では、床本体１０の四周端部に、隣り合う床本体１０に接合される実部１１，１２を設けた構成としている。図例では、長手方向一端部及び幅方向一端部に、床本体１０の表裏面に略平行な方向に向けて突出する雄実部１１，１１を設け、長手方向他端部及び幅方向他端部に、床本体１０の表裏面に略平行な方向に向けて開口する雌実部１２，１２を設けた例を示している。つまり、床本体１０の四周端部に、本実状の実部１１，１２を設けた構成としている。なお、このような態様に代えて、床本体１０の長手方向両端部のみに実部１１，１２を設けた構成としたり、相じゃくり状の実部を設けた構成としたりしてもよく、さらには、このような実部１１，１２を設けていない態様としてもよい。
【００１３】
また、床本体１０の長手方向両端側の凹段部１３，１３は、長手方向中央側の表層部１５の床材長手方向両端側から段下がり状に設けられている。これら凹段部１３，１３の施工された状態で上方側を向く凹底面１４ａ，１４ａは、床材１の厚さ方向両面に平行状で平坦面状とされている。
また、床本体１０の表層部１５は、床本体１０の長手方向中央側部位における表面を構成するように、全幅に亘って設けられている。この表層部１５は、化粧面とされた表面が床材１の厚さ方向両面に平行状で平坦面状とされている。この表層部１５の床材長手方向両端面１５ａ，１５ａが凹段部１３，１３の段壁面を構成する。
本実施形態では、表層部１５を床本体１０に一体的に設けた構成としている。この表層部１５は、厚さ方向一方面としての上方側に向く面が凹段部１３，１３の凹底面１４ａ，１４ａを構成する基材部１４に、表層部１５を構成する中央側表層材を積層一体化した構成とされたものとしてもよい。
【００１４】
このような基材部１４と表層部１５とは、適宜の接着剤や釘等の止具等によって積層一体化されたものとしてもよい。また、基材部１４と表層部１５とは、工場出荷後に、例えば、住居等の建物等の施工現場や工務店等の施工現場外の組立現場等において、積層一体化される構成とされたものでもよい。この場合は、基材部１４及び表層部１５のそれぞれに厚さ方向に嵌合する凹部及び凸部を設けた構成としてもよく、また、基材部１４に、表層部１５の積層箇所の目印となるマーキング等を設けた構成等としてもよい。
また、基材部１４としては、木質系材料等から形成されたものとしてもよく、複数種の材料から形成されたものとしてもよい。例えば、基材部１４を、合板やＬＶＬ（単板積層材）等の木質積層板、パーティクルボード等の木質ボード、ＭＤＦ（中密度繊維板）やＨＤＦ（高密度繊維板）等の木質繊維板などの木質系ボードから形成されたものとしてもよい。また、基材部１４を、合成樹脂系材料に、木粉や無機フィラー、相溶化剤、着色剤などを所定の含有割合で含有させた木粉・プラスチック複合材（ＷＰＣ）から形成されたものとしてもよい。また、基材部１４を、これら種々の材料からなる板材を積層した複層構造とされたものとしてもよい。
なお、この基材部１４の裏面側に、防湿シートや遮音シートなどの機能シートを更に積層した構成としてもよい。
【００１５】
表層部１５は、床材厚さ方向に沿う寸法（厚さ寸法）が基材部１４（床本体１０の凹段部１３が設けられた部位）の床材厚さ方向に沿う寸法（厚さ寸法）よりも小とされている。この表層部１５の厚さ寸法は、２ｍｍ〜１５ｍｍ程度としてもよく、２ｍｍ〜１０ｍｍ程度としてもよい。図例では、表層部１５の厚さ寸法を、基材部１４の厚さ寸法の概ね１／３程度とした例を示している。
また、この表層部１５は、薄板状の表層基材１７の表面側に、表面化粧材１８を積層した構成とされたものとしてもよい。表層基材１７としては、上記同様な木質系材料等から形成されたものとしてもよい。また、表面硬度や平滑性を向上させるべく、表層基材１７をＭＤＦとし、剛性を高めるべく、基材部１４を合板としてもよい。また、表面化粧材１８としては、天然木材（銘木）を加工等して形成された突板等の単板や、木目柄等の種々の柄（模様）が印刷された化粧印刷紙やオレフィン系等の合成樹脂系フィルム等としてもよい。この表面化粧材１８の厚さ寸法は、例えば、０．０１ｍｍ〜１．０ｍｍ程度としてもよく、０．０５ｍｍ〜０．５ｍｍ程度としてもよい。
【００１６】
また、本実施形態では、図１に示すように、表層部１５を、床材幅方向に複数列状に、小割木材を突き合わせたような外観を呈する構成としている。また、本実施形態では、表層部１５を、床材幅方向一方側の第１表層部１５Ａと床材幅方向他方側の第２表層部１５Ｂとからなる二列状としている。また、これら第１表層部１５Ａ及び第２表層部１５Ｂの床材幅方向に沿う寸法を互いに略同寸法とし、これら第１表層部１５Ａ及び第２表層部１５Ｂの床材長手方向に沿う寸法を互いに略同寸法としている。
これら第１表層部１５Ａ及び第２表層部１５Ｂは、床材長手方向に長尺状とされている。図例では、これら第１表層部１５Ａ及び第２表層部１５Ｂの床材長手方向に沿う寸法（長さ寸法）を、床本体１０の長さ寸法の略１／２とした例を示している。
【００１７】
また、これら第１表層部１５Ａと第２表層部１５Ｂとを、床材長手方向にずらすように設けた構成としている。つまり、本実施形態では、表層部１５を、小割木材を乱張状（千鳥状）に突き合わせたような外観を呈する構成としている。また、凹段部１３，１３の凹底面１４ａ，１４ａが平面視して（床材厚さ方向に見て）略Ｌ字状となる構成としている。また、凹段部１３，１３の段壁面となる、これら第１表層部１５Ａ及び第２表層部１５Ｂの床材長手方向一方側の端面１５ａ，１５ａ同士及び床材長手方向他方側の端面１５ａ，１５ａ同士が床材長手方向にずれた位置となる構成としている。また、第１表層部１５Ａにおける第２表層部１５Ｂよりも床材長手方向一方側に突出するように設けられた部位の床材幅方向中心部に沿うように、かつ床材幅方向に沿う方向に向くように設けられた側端面１５ｂが長手方向一方側の凹段部１３の段壁面を構成する。また、第２表層部１５Ｂにおける第１表層部１５Ａよりも床材長手方向他方側に突出するように設けられた部位の床材幅方向中心部に沿うように、かつ床材幅方向に沿う方向に向くように設けられた側端面１５ｂが長手方向他方側の凹段部１３の段壁面を構成する。
【００１８】
また、本実施形態では、長手方向両端側の凹段部１３，１３が平面視して互いに点対称状となるように、第１表層部１５Ａ及び第２表層部１５Ｂからなる表層部１５の床材長手方向における中心と床本体１０の長手方向中心とを一致させた構成としている。また、長手方向に隣り合う床本体１０，１０同士が接合された状態では、これら床本体１０，１０の隣り合う凹段部１３，１３によって、後記する表層材２０を受け入れる凹所が形成される。また、このように床本体１０，１０同士が接合された状態で、それぞれの第１表層部１５Ａ，１５Ａの互いに向き合う端面１５ａ，１５ａ間寸法と、それぞれの第２表層部１５Ｂ，１５Ｂの互いに向き合う端面１５ａ，１５ａ間寸法と、が略同寸法となる構成としている。
【００１９】
なお、これら第１表層部１５Ａと第２表層部１５Ｂとは、それぞれに表層基材１７，１７と表面化粧材１８，１８とを備えた別体とされたものとしてもよく、一体的に形成されたものとしてもよい。また、図例では、これら第１表層部１５Ａ及び第２表層部１５Ｂの床材長手方向両端面１５ａ，１５ａの表面側縁部に、Ｃ面取り状の面取り部を設けた例を示している。また、詳細な図示は省略しているが、上記した側端面１５ｂ，１５ｂを含む第１表層部１５Ａ及び第２表層部１５Ｂの床材幅方向両端部の表面側縁部にもＣ面取り状の面取り部が設けられている。つまり、突き合わせられるように設けられた第１表層部１５Ａと第２表層部１５Ｂとの境界部に沿うように、略Ｖ字溝状の化粧溝を設けた構成としている。また、これら表層部１５Ａ，１５Ｂを基材部１４に積層一体化して床本体１０を構成した態様に代えて、凹段部１３，１３を切削等によって形成して表層部１５が床本体１０に一体的に形成されたものとしてもよい。この場合は、突段部状の表層部１５Ａ，１５Ｂの表面に表面化粧材１８，１８の貼着などの適宜の表面化粧処理が施されたものとしてもよい。
【００２０】
また、本実施形態では、図２に示すように、床本体１０の長手方向両端側の凹段部１３，１３の隅部及び表層材２０の床材長手方向に沿う方向の両端部のうちの一方に、他方に設けられた凸部２２が嵌め込まれる凹部１６を設けた構成としている。また、凹部１６を、凹段部１３，１３の隅部となる表層部１５の床材長手方向両端面１５ａ，１５ａにおいて床材長手方向外方側に向けて開口するように設けた構成としている。また、本実施形態では、表層部１５を構成する第１表層部１５Ａ及び第２表層部１５Ｂの床材長手方向両端面１５ａ，１５ａ，１５ａ，１５ａのそれぞれにおいて開口するように凹部１６，１６，１６，１６を設けた構成としている。また、これら凹部１６，１６，１６，１６を、第１表層部１５Ａ及び第２表層部１５Ｂの床材幅方向の全体に亘って設けた構成としている。また、これら凹部１６，１６，１６，１６を、床材幅方向に見て、略方形溝状（略Ｕ字溝状）としている。また、これら凹部１６，１６，１６，１６の溝幅方向一方の溝内側面を、凹底面１４ａ，１４ａと面一状としている。つまり、凹部１６，１６，１６，１６の溝幅方向一方の溝内側面を、凹底面１４ａ，１４ａによって構成している。また、凹部１６，１６，１６，１６の溝幅方向他方の溝内側面及び溝底面を第１表層部１５Ａ及び第２表層部１５Ｂの床材長手方向両端部に切欠状に形成された凹所の床材長手方向に向く面及び下方側に向く面によって構成している。
【００２１】
表層材２０は、薄板状とされ、長手方向に隣り合う床本体１０，１０の凹段部１３，１３を覆うように配される構成とされている。本実施形態では、表層材２０を、床材長手方向に長尺状とされたものとし、裏面側に、長手方向に間隔を空けて複数本の幅方向に延びる溝２３を全幅に亘って設けた構成としている。
これら複数本の溝２３は、長手方向に等間隔を空けて設けられており、表層材２０の長手方向の略全体に亘って設けられている。これら溝２３の溝深さ寸法や溝幅寸法、溝間寸法（ピッチ）は、表層材２０の強度上の観点や、隣り合う床本体１０，１０の凹段部１３，１３の凹底面１４ａ，１４ａの段差に追従して変形し易いように、適宜の寸法としてもよい。また、これら複数本の溝２３を、表層材２０が床材幅方向に見て湾曲状に変形可能なように、また、表層材２０の長手方向に間隔を空けた部位同士が上記段差に追従して厚さ方向に変位可能なように設けた構成としてもよい。
【００２２】
また、本実施形態では、表層材２０を、図１（ｂ）に示すように、上記した第１表層部１５Ａと第２表層部１５Ｂとからなる表層部１５に対応させて、床材幅方向に二列状に配される第１表層材２０Ａと第２表層材２０Ｂとからなる構成としている。このように、表層材２０を、第１表層部１５Ａ及び第２表層部１５Ｂに対応させて床材幅方向に二列状に配される第１表層材２０Ａと第２表層材２０Ｂとからなる構成とすれば、乱張状の外観を呈しながらも構造の簡略化を図ることができる。つまり、図１（ｂ）に示すように、長手方向に隣り合う床本体１０，１０同士を接合した状態で形成される平面視して略Ｚ字状の凹段部１３，１３の凹底面１４ａ，１４ａの形状に対応させた単一の表層材２０としたものと比べて、構造の簡略化を図ることができる。
【００２３】
これら第１表層材２０Ａと第２表層材２０Ｂとは、互いに同様の構成とされている。また、これら第１表層材２０Ａ及び第２表層材２０Ｂの床材長手方向に沿う寸法（長さ寸法）は、第１表層部１５Ａ及び第２表層部１５Ｂの長さ寸法と略同寸法、つまり、床本体１０の長さ寸法の略１／２とされている。また、これら第１表層材２０Ａ及び第２表層材２０Ｂの床材幅方向に沿う寸法（幅寸法）は、第１表層部１５Ａ及び第２表層部１５Ｂの幅寸法と略同寸法、つまり、床本体１０の幅寸法の略１／２とされている。
また、これら第１表層材２０Ａ及び第２表層材２０Ｂの長手方向両端部には、図１（ｂ）及び図２（ｂ）に示すように、上記した凹部１６，１６，１６，１６に嵌め込まれる凸部２２，２２，２２，２２が設けられている。これら凸部２２，２２，２２，２２は、各表層材２０Ａ，２０Ｂの長手方向両端部の裏面側部位を長手方向外方側に突出させるように、かつ各表層材２０Ａ，２０Ｂの全幅に亘って設けられている。つまり、これら凸部２２，２２，２２，２２の下方側に向く面は、各表層材２０Ａ，２０Ｂの裏面と面一状とされている。つまりは、各表層材２０Ａ，２０Ｂの長手方向両端部の表面側部位に切欠状の凹所を設けることで、これら凸部２２，２２，２２，２２を設けた構成としている。
【００２４】
各表層材２０Ａ，２０Ｂは、長手方向に隣り合う床本体１０，１０の各表層部１５Ａ，１５Ａ，１５Ｂ，１５Ｂの凹部１６，１６，１６，１６に凸部２２，２２，２２，２２を嵌め入れ、各表層部１５Ａ，１５Ａ，１５Ｂ，１５Ｂ間を覆うように配される。このように配された状態では、図１（ｃ）及び図２（ｃ）に示すように、床本体１０，１０同士の継目が各表層材２０Ａ，２０Ｂによって覆われた状態となる。また、各表層材２０Ａ，２０Ｂの裏面が長手方向に隣り合う床本体１０，１０の各表層部１５Ａ，１５Ａ，１５Ｂ，１５Ｂ間の凹段部１３，１３の凹底面１４ａ，１４ａに当接される。また、第１表層材２０Ａの長手方向両端面２０ａ，２０ａが長手方向に隣り合う床本体１０，１０の第１表層部１５Ａ，１５Ａの互いに向き合う端面１５ａ，１５ａに当接または近接される。また、この第１表層材２０Ａの幅方向一側端面２０ｂの長手方向一方側部位が一方の床本体１０の第２表層部１５Ｂの側端面１５ｂに当接または近接される。また、この第１表層材２０Ａの幅方向一側端面２０ｂの長手方向他方側部位が第２表層材２０Ｂの幅方向一側端面２０ｂの長手方向一方側部位に当接または近接される。また、第２表層材２０Ｂの長手方向両端面２０ａ，２０ａが長手方向に隣り合う床本体１０，１０の第２表層部１５Ｂ，１５Ｂの互いに向き合う端面１５ａ，１５ａに当接または近接される。また、この第２表層材２０Ｂの幅方向一側端面２０ｂの長手方向他方側部位が他方の床本体１０の第１表層部１５Ａの側端面１５ｂに当接または近接される。
【００２５】
なお、これら第１表層材２０Ａ及び第２表層材２０Ｂは、上記した表層部１５と概ね同様、薄板状の表層基材２１の表面側に、表面化粧材２４を積層した構成とされたものとしてもよい。また、これら第１表層材２０Ａ及び第２表層材２０Ｂを、床本体１０よりも収縮し難い構成とされたものとしてもよい。例えば、これらの表層基材２１を、床本体１０の基材部１４よりも収縮し難い材料から形成されたものとしてもよい。また、例えば、表面化粧材２４と表層基材２１との間や表層基材２１の裏面側に、収縮を抑制する難収縮性の機能シート等を更に積層した構成としてもよい。
また、これら第１表層材２０Ａ及び第２表層材２０Ｂの四周端部の表面側縁部に、上記同様な面取り部を設けた例を示している。なお、これら第１表層材２０Ａ及び第２表層材２０Ｂ並びに第１表層部１５Ａ及び第２表層部１５Ｂに面取り部や化粧溝を設けないようにしてもよい。
【００２６】
また、上記構成とされた床材１は、以下のようにして施工するようにしてもよい。なお、単一の床本体１０と第１表層材２０Ａ及び第２表層材２０Ｂとを備えた床材１を一組として複数組を用いて施工されるものとしてもよい。
まず、図１（ａ）及び図２（ａ）に示すように、複数枚の床本体１０、１０を、長手方向に隣り合わせて接合し、床下地２上に配置する。この際、これら床本体１０，１０を、ねじや釘等の止具や、接着剤等を用いて、または、これらを用いずにいわゆる置敷床的に床下地２上に配置するようにしてもよい。そして、図１（ｂ）及び図２（ｂ）に示すように、これら床本体１０，１０に対して第１表層材２０Ａ及び第２表層材２０Ｂを取り付ける。この際、各表層材２０Ａ，２０Ｂを、床材幅方向に見て、凸湾曲状に変形させ、これらの長手方向両端部の凸部２２，２２，２２，２２を、床本体１０，１０の凹部１６，１６，１６，１６に嵌め入れるようにしてもよい。また、これら表層材２０Ａ，２０Ｂは、凸部２２，２２，２２，２２を床本体１０，１０の凹部１６，１６，１６，１６に嵌め入れることで床本体１０，１０に取り付けられる態様としてもよい。または、これら表層材２０Ａ，２０Ｂは、上記同様、接着剤や止具等によって床本体１０，１０に対して固定されるものとしてもよい。
【００２７】
本実施形態に係る床材１は、上述のような構成としたことで、長手方向に隣り合う床材１，１同士の隙間を目立ち難くすることができ、かつ搬送時等における破損等を抑制することができる。
つまり、長手方向両端側の表面側に全幅に亘って切欠状の凹段部１３，１３が形成されるように長手方向中央側部位に突段部状の表層部１５を有した床本体１０を備えた構成としている。また、厚さ寸法が表層部１５の床材厚さ方向に沿う寸法と同寸法とされ、かつ、長手方向に隣り合う床材１，１の床本体１０，１０同士が接合された状態で、これら床本体１０，１０の表層部１５，１５同士の間を覆うように配される表層材２０を備えた構成としている。従って、床本体１０の表面側となる表層部１５が長手方向や幅方向に突出したようなものと比べて、搬送時等における床本体１０の表面側化粧部を構成する部位の破損等を抑制することができる。
【００２８】
また、長手方向に隣り合う床本体１０，１０同士の接合部が表層材２０によって覆われることとなるので、収縮等によって特に目隙が生じ易い長手方向に隣り合う床本体１０，１０同士の隙間を目立ち難くすることができる。また、長手方向に隣り合う床材１，１同士の表面側に露出する継目が表層材２０と表層部１５とによって形成され、これらの間に隙間が生じた場合にも、これら表層部１５及び表層材２０を設けていないものと比べて、この隙間の深さを効果的に浅くすることもできる。
また、本実施形態では、表層材２０の床材長手方向に沿う寸法を、床本体１０の長さ寸法よりも小としている。従って、表層材２０の床材長手方向への収縮を効果的に低減することができ、表層材２０と表層部１５との隙間が表層材２０の収縮によって大きくなるようなことを抑制することができる。
【００２９】
また、本実施形態では、床本体１０を、表層部１５を一体的に設けた構成としている。従って、表層部１５がそれ以外の部位と別体とされて施工現場等において積層一体化される構成とされたものと比べて、取扱性を向上させることができる。また、床本体１０に対する表層部１５の厚さ方向両面に平行な方向に沿う移動を効果的に抑制することができる。これにより、表層部１５と表層材２０との隙間をより効果的に小さくすることができ、目立ち難くすることができる。なお、このような態様に限られず、上述のように、床本体１０が、別体とされた基材部１４と表層部１５とからなる構成とされたものとしてもよい。換言すれば、床本体１０を構成する基材部１４と、この基材部１４の長さ寸法よりも長さ寸法が小とされた複数枚の表層材１５，２０を備えた構成とされたものとしてもよい。
【００３０】
また、本実施形態では、表層材２０を、床材長手方向に長尺状とし、かつ、裏面側に、長手方向に間隔を空けて複数本の幅方向に延びる溝２３を全幅に亘って設けた構成としている。従って、長手方向に隣り合う床本体１０，１０同士の表面側となる凹底面１４ａ，１４ａに段差等が形成されたような場合にも、表層材２０がこれらの段差に追従するように変形し易くなり、床材１自体の表面側に形成される段差を目立ち難くすることができる。
【００３１】
また、本実施形態では、床本体１０の長手方向両端側の凹段部１３，１３の隅部及び表層材２０の床材長手方向に沿う方向の両端部のうちの一方に、他方に設けられた凸部２２が嵌め込まれる凹部１６を設けた構成としている。従って、凸部２２を凹部１６に嵌め込むことで表層材２０を長手方向に隣り合う床本体１０，１０に対して取り付けることができる。これにより、表層材２０を床本体１０，１０に対して止具や接着剤を用いずに取り付けることもでき、表層材２０の交換を容易に行うことも可能となる。
【００３２】
また、本実施形態では、凸部２２を床材長手方向に沿う方向に突出させるように設け、凹部１６を床材長手方向に開口させるように設けた構成としている。従って、凸部２２と凹部１６との嵌合によって表層材２０の長手方向両端部の床本体１０に対する厚さ方向（上方側）への移動を抑制することができる。また、このような凸部２２及び凹部１６を設けていないものと比べて、表層材２０と表層部１５との隙間の深さをより効果的に浅くすることができる。
また、本実施形態では、表層材２０の裏面側に上記のような溝２３を設けた構成としている。従って、表層材２０の端部の床本体１０に対する厚さ方向への移動の抑制が可能でありながらも、表層材２０を湾曲させ易くなり、表層材２０の床本体１０に対する取付性を向上させることができる。なお、このような溝２３を表層材２０に設けないようにしてもよい。
【００３３】
また、本実施形態では、床本体１０の長手方向両端側の凹段部１３，１３の隅部に凹部１６，１６を設け、表層材２０の床材長手方向に沿う方向の両端部に凸部２２，２２を設けた構成としたが、これらを逆側に設けた態様としてもよい。また、これら凹部１６，１６と凸部２２，２２とが床材長手方向に嵌合されるものとした態様に代えて、床材厚さ方向に嵌合される態様としてもよい。さらには、このような凹部１６，１６及び凸部２２，２２を設けないようにしてもよい。この場合は、表層材２０を、ねじや釘等の止具や、接着剤等を用いて床本体１０，１０に対して固定するようにしてもよい。
また、本実施形態では、表層材２０を、第１表層材２０Ａと第２表層材２０Ｂとからなるものとした例を示しているが、平面視して略Ｚ字状の凹段部１３，１３の凹底面１４ａ，１４ａの形状に対応させた単一の表層材２０からなるものとしてもよい。
【００３４】
また、本実施形態では、表層部１５を、第１表層部１５Ａと第２表層部１５Ｂとを乱張状の外観を呈するように、かつ床材幅方向に二列状に設けた例を示しているが、床材幅方向に三列以上で乱張状の外観を呈するように設けた態様としてもよい。また、このように乱張状の外観を呈するように表層部１５を設けた態様に代えて、表層部１５の床材長手方向両端面１５ａ，１５ａが平面視してそれぞれ直線状とされたものとしてもよい。つまり、長手方向に隣り合う床本体１０，１０同士を接合した状態で形成される凹段部１３，１３の凹底面１４ａ，１４ａが平面視して略方形状とされるものとしてもよい。これらの場合は、表層材２０を適宜、必要に応じて変形するようにすればよい。
【符号の説明】
【００３５】
１      床材
１０    床本体
１３    凹段部
１５    表層部
１５Ａ  第１表層部（表層部）
１５Ｂ  第２表層部（表層部）
１６    凹部
２０    表層材
２０Ａ  第１表層材（表層材）
２０Ｂ  第２表層材（表層材）
２２    凸部
２３    溝
【図１】
2017125301.tif 000003
【図２】
2017125301.tif 000004